(57)【要約】【課題】　搬送循環体を凹形状に案内できる、大きな搬送高低差で搬送物を連続的に鉛直上方または下方に搬送する装置を提供する。【解決手段】　搬送装置は搬送循環体３を備えている。この搬送循環体は、取り外し可能なロープ無端連結部材によって無端閉鎖された、索具としての高強度繊維製のロープを備えた２つの循環体と、索具の循環体の間に配置された、側方にベルト3.3を有する運搬具からなる１つの循環体とを備える。運搬具からなる循環体と、引張支持体としての側方の循環体との間の連結要素として、フレーム状の案内スキッド3.7が作用する。この案内スキッドは索具のロープ締付け連結部材と運搬具3.2のベルト3.3に固定される。支持兼案内構造体を適当に形成することにより、搬送循環体の凹形の案内が案内スキッドによって可能である。【選択図】　　　図４
2004099322.tif 000002
【特許請求の範囲】
【請求項１】
　搬送循環体（３）が平行に配置された引張ロープ(3.1)を備え、この引張ロープが複数のロープ締付け連結部材(3.4)とロープ無端連結部材(3.5)とによって無端の２本の循環体部分を形成し、この循環体部分の間に、搬送物を収容するための複数の運搬具が搬送循環体全長にわたって配置されている、搬送物を連続的に鉛直方向上方または下方に搬送するための搬送装置であって、運搬具が両側で固定要素としてのベルト(3.3)に固定され、固有の索具、すなわち引張ロープ(3.1)に対する運搬具の連結が、間隔をおいて配置されたフレーム状の案内スキッド(3.7)を介して行われ、このフレーム状の案内スキッド(3.7)が搬送循環体（３）の外側に設けられたベルト(3.3)と、ロープ締付け連結部材(3.4)とに固定され、このベルト(3.3)が搬送循環体（３）内で張力を受けないことを特徴とする搬送装置。
【請求項２】
　フレーム状の案内スキッド(3.7)がそれぞれ、ベルト(3.3)とロープ締付け連結部材(3.4)を固定するための、搬送方向前側の基板(3.7.1)を備え、搬送方向後側の基板がロープ(3.1)用のスペーサ(3.7.5)によってのみロープに載り、前記後側の基板が運搬具(3.2)の横梁に載っていることを特徴とする、請求項１に記載の搬送装置。
【請求項３】
　２本以上のロープ(3.1)のためのロープ無端連結部材(3.5)が搬送循環体（３）内に形成され、このロープ無端連結部材が搬送循環体内でたがいちがいに配置されていることを特徴とする、請求項１または２に記載の搬送装置。
【請求項４】
　搬送物の受け取り及び受け渡しを容易にするために、搬送循環体（３）がピッチ間隔をおいて搬送循環体に固定されたフレーム状の案内スキッド(3.7)によってかつ支持兼案内構造体（８；９）と協働することによって、傾斜したまたは水平な搬送方向に凹形に案内可能であることを特徴とする請求項１〜３のいずれか一つに記載の搬送装置。
【請求項５】
　フレーム状の案内スキッド(3.7)がベルト(3．3)に対向する側に、スキッド(3.7.4)を備え、このスキッドが縦方向に延び、かつ右側と左側の側板(3.7.3)上に配置され、スキッドが支持兼案内構造体（８；９）のローラと協働し、スキッドの前側範囲が曲げられていることを特徴とする請求項１〜４のいずれか一つに記載の搬送装置。
【請求項６】
　可逆運転の場合、各々のスキッド(3.7.4)の前側範囲と後側範囲が曲げられていることを特徴とする請求項１〜５のいずれか一つに記載の搬送装置。
【請求項７】
　複数の搬送装置が上下に配置され、それぞれのインターフェースが接続コンベヤ（１３）を備えていることを特徴とする請求項１〜６のいずれか一つに記載の搬送装置。
【請求項８】
　運搬具(3.2)の取付けに応じて、搬送物の搬送を内側搬送の場合または外側搬送の場合に応じて行なうことを特徴とする請求項１〜７のいずれか一つに記載の搬送装置。
【請求項９】
　駆動ステーション（４）と必要な案内プーリ（６）と方向変換ステーションまたは引張ステーション（７）がそれぞれ側方に、周方向に延在するリングを備え、このリングが場合によっては、ベルト(3.3)の範囲において搬送循環体（３）を支持する働きをすることを特徴とする請求項１〜８のいずれか一つに記載の搬送装置。
【請求項１０】
　機能的な理由から、駆動ステーション（４）が巻掛け角度を大きくするための複数の駆動プーリによって形成可能であることを特徴とする請求項１〜９のいずれか一つに記載の搬送装置。
【請求項１１】
　支持兼案内構造体（８；９）が、搬送循環体（３）の運動を安定させるためおよび搬送循環体の異なる横方向張力を補正するために異なるように調節可能に形成されていることを特徴とする請求項１〜１０のいずれか一つに記載の搬送装置。
【請求項１２】
　外側搬送の場合に、搬送物供給範囲において、搬送循環体（３）の下面がロープ(3.1)の範囲内のロープローラによって支持されていることを特徴とする請求項１〜１１のいずれか一つに記載の搬送装置。
【請求項１３】
　内側搬送の場合に、搬送物供給の範囲において、搬送循環体（３）の下面がスキッド(3.7.4)の範囲内の支持ローラによって支持されていることを特徴とする請求項１〜１２のいずれか一つに記載の搬送装置。
【請求項１４】
　充填ドラム（１７）を使用する内側搬送の場合に、充填ドラムが同時に引張ドラムとして形成されていることを特徴とする請求項１〜１３のいずれか一つに記載の搬送装置。
【請求項１５】
　搬送循環体（３）の必要な強度に応じて、両循環体部分に、同じ数の平行な引張ロープ(3.1)が設けられ、例えば駆動ステーション（４）、案内プーリ（５，６）および方向変換兼引張ステーション（７）を含む全ての重要部品各々のロープ溝が一致するように、前記重要部品が形成されていることを特徴とする請求項１〜１４のいずれか一つに記載の搬送装置。
【発明の詳細な説明】
【技術分野】
【０００１】
　本発明は、約８０ｍから、現在の技術では約１２００ｍである限界値に至る大きな搬送高低差で、搬送物を連続的に鉛直方向上方や下方に搬送するための装置に関する。
【背景技術】
【０００２】
　この搬送高さ範囲内の実現可能な実用的な搬送質量は、約４千t/hから搬送高さが高くなるにつれて減少し、約６００t/hである。
【０００３】
　このような搬送手段は鉱物の地下採掘または露天掘りの場合に必要である。
【０００４】
　坑内作業、例えばトンネル建設、地下交通路建設、地下坑道内への汚染物最終処分、古い採掘場の保守保全用ぼた（廃石）詰めの場合に、大きな搬送高低差で搬送物を連続的に垂直方向上方または下方に搬送するための装置が必要である。
【０００５】
　約２５０ｍを超える搬送高低差を有する機械的搬送手段のカテゴリーにおける、連続的に作用する搬送装置は未だ実用化されていない。
【０００６】
　関連する特許文献には、無端の閉鎖型搬送循環体が高い強度を有する新規の軽量引張支持体と、鋼の割合が減少した軽量の運搬具を備えているという共通の特徴を有するシステムが記載されている。これは、大きな搬送高低差を実現するためには、無端循環する搬送循環体の自重を低減する必要があるからである。
【０００７】
　搬送物を上方または下方に搬送するためのロープ搬送手段は例えば特許文献１に記載されている。このロープ搬送手段は高強度繊維からなるロープによって形成された無端の閉じた搬送循環体の特別な形状の特徴を開示している。この搬送循環体の中央範囲には、運搬具（ポケット）と側方の案内ロープが設けられている。この案内ロープによって、ローププーリ周りの搬送循環体の凸形の方向変換のほかに、特に凹形の案内もできる。このような形状の特徴によって、ロープ搬送手段の直線案内が達成される。この直線案内は一方では直線的または傾斜した搬送区間への搬送物の所望な供給および排出を可能にし、他方では必要な空間を削減するために垂直な搬送区間において引張側と弛緩側を相互に近接可能である。
【０００８】
　上記の特許の特許性判断のために、検索した技術水準を用いた。この技術水準を特許文献２〜１０として列挙する。この技術水準に対して発明の高度性が認められた。　特許文献１に記載された解決策の欠点として、搬送循環体が凹形に案内されるときに、案内ロープの取付けによって案内ロープが案内ローププーリまたは案内ローラとしか協働不可能であることが挙げられる。この案内プーリまたは案内ローラはそれを配置している場所でのみ整備または交換可能である。これは、案内プーリまたは案内ローラが案内のために垂直範囲に設けられている場合非常に不都合である。更に、搬送循環体における案内ロープの取付けは、１８０°向きを変えた、案内ロープとの固定を可能にする特別なロープ締付け連結部材とロープ無端連結部材を必要とし、全体として搬送循環体の構造的なコスト、自重および幅を増大させる。最大の搬送高さを得るためには、この搬送循環体の自重の増大がまさに不利である。
【０００９】
　案内ロープの使用は更に、外側から作用する案内力が実質的にこの案内ロープにのみ作用し、搬送循環体の索具全体に作用しないという欠点がある。
【特許文献１】独国特許第１９８３５０００号公報
【特許文献２】独国特許第１９７０２６６１号公報
【特許文献３】独国特許第６３８９９８６号公報
【特許文献４】独国特許第３１４２５７２号公報
【特許文献５】独国特許第２６１２１号公報
【特許文献６】独国特許出願公開第１９６２３１４３号公報
【特許文献７】独国特許出願公開第３６４１９６４号公報
【特許文献８】米国特許第４２２７６０９号明細書
【特許文献９】米国特許第３３３８３７９号明細書
【特許文献１０】欧州特許出願公開第００２０１４８号公報
【発明の開示】
【発明が解決しようとする課題】
【００１０】
　本発明の課題は、搬送循環体の凹形の案内を実現するときに、特許文献１の搬送装置の上記欠点を備えていない、大きな搬送高低差で搬送物を連続的に垂直方向上方または下方に搬送するための搬送装置を提供することである。
【課題を解決するための手段】
【００１１】
　本発明による搬送装置の利点は、搬送循環体が特別な搬送ロープと特別なロープ締付け連結部材とロープ無端連結部材を備えていないことに基づく。
【００１２】
　搬送循環体を案内するための固定されたローラを有する支持兼案内構造体が関連する範囲に配置されているときに、搬送循環体に対する外部からの力の作用が本発明に従って行われる。この範囲では、場合によってはこのローラの整備または交換を問題なく行うことができる。
【００１３】
　搬送循環体がピッチ間隔をおいて案内スキッドを備えているときわめて有利である。この案内スキッドはロープ締付け連結部材と、運搬具（ポケット）の横梁用の固定要素としてのベルトに固定されている。
【００１４】
　フレーム（枠）状のこの案内スキッドは、外部からの力の作用を、搬送循環体全体に均一に伝達し、特許文献１のように案内ロープだけに伝達しない。
【００１５】
　本発明による搬送装置の場合、凹形の搬送循環体案内が行われない垂直搬送区間においては、この案内スキッドは場合によっては、ここではこれ以上説明しない案内装置によってすべり摩擦の法則に従って作用可能である。これは、滑らない転動接触を可能にする必要な要素を備えた案内ロープを使用する場合には不利にならない。
【００１６】
　本発明による搬送装置は特許文献１記載の解決策と比べて、搬送循環体が張力を伝達する働きをする範囲と、運搬具（ポケット）の範囲とからなるという重要な利点がある。この運搬具は、側方においてそれぞれ狭いベルトに固定された横梁を備えている。
【００１７】
　それによって、本発明では、索具の範囲に、運搬具の固定手段、特にポケットの横梁を設ける必要がない。この特徴はそれだけで、搬送循環体の組み立てとロープ交換にとって重要な利点がある。
【００１８】
　フレーム状の案内スキッドは、運搬具（ポケット）の横梁の固定個所の間で、固定板によって側方のベルトに取り外し可能に連結され、更にロープ締付け連結部材に取り外し可能に連結されている。それによって、本発明の搬送装置の特徴である、搬送循環体全体の安定した横方向連結が得られる。
【００１９】
　運搬具のための固定要素としてのベルトは、大きな引張強度を有しておらず、かつ簡単な無端連結部材、例えばオーバーラップ部または重ね継手を備えている。なぜなら、案内スキッドとの固定個所でそれぞれ、索具、すなわち高強度繊維製の平行なロープからなる循環体と強固に連結されるからである。
【発明の効果】
【００２０】
　本発明による搬送装置の搬送循環体のこのような構造は、直線案内を可能にする。この直線案内は垂直な案内と凸形の湾曲案内のほかに、傾斜した搬送区間と水平な搬送区間における搬送循環体の凹形の案内を可能にする。固定されたローラを備えた支持兼案内構造体と協働して、このローラと案内スキッドのピッチ間隔に応じて、凹形の搬送循環体案内のほとんど衝撃のない運動が行われる。搬送物の供給及び排出は好ましくは、傾斜したまたは水平な搬送区間で行われる。搬送循環体の上記の特徴は全体として、張力の分配と構造上の利点を有する。
【００２１】
　大きな搬送高低差の場合に不可避である、搬送循環体の妥当な組み立て技術は、公知の場合と比べて大幅に改善される。
【００２２】
　きわめて大きな搬送高低差の搬送の場合、本発明による搬送装置の直列的な接続は、技術的および経済的な利点を有する。この搬送装置の間において、搬送流が下側の搬送装置から接続コンベヤに案内され、そしてこの接続コンベヤから本発明による上側の搬送装置に供給される。このようなインターフェース（交差個所）は更に、他の搬送流を例えば中間レベル搬送部から他の垂直搬送部に供給することを可能にする。搬送循環体内への運搬具（ポケット）の組込みは、内側搬送またはいわゆる外側搬送を実現できるように行われる。手前または後方に接続された搬送装置または搬送物移送個所に対するインターフェースも同様に形成可能である。
【００２３】
　本発明による搬送装置によって、搬送物を下方に搬送することもできる。摩擦的に作用する巻き掛け駆動の法則に従った基本的な力伝達の原理のために、駆動ステーションはいわゆる空転抵抗を上回って作用しなければならず、さらに搬送中はブレーキ作用または発電作用を加えなければならない。
【００２４】
　連続的に下方に搬送する場合にも、技術的および経済的な理由から、２個またはそれ以上の本発明による搬送装置を上下に配置し、この搬送装置の間にインターフェースを形成すると有利である。
【発明を実施するための最良の形態】
【００２５】
　本発明による搬送装置の実施の形態を図に示す。次に、この実施の形態について説明する。その際、図１〜１４は本願でいう「外側搬送」の場合に関する。図１５〜１９は「内側搬送」の場合に関する。
【００２６】
　図１は、外側搬送の場合の本発明の搬送装置による、一方向の好ましい案内の様子を概略的に示す。この場合、搬送循環体３の凹形状の切替の様子が、下側範囲の支持兼案内構造体８と上側範囲の支持兼案内構造体９とによって行われ、しかも支持兼案内力がわずか発生するだけで、搬送循環体３の変化する曲げ作用がほとんど影響を及ぼさない。従って、搬送物の供給は搬送循環体３の上昇区間において運搬具（ポケット）への移送ステーション２の範囲で行われる。
【００２７】
　更に、搬送物供給のための搬送手段１を示す。搬送循環体３は、案内プーリ５及び駆動ステーション４を通過後、支持兼案内構造体９によって傾斜した軌道に沿って内側に凹形に案内される。この軌道は、搬送物排出用搬送手段１１への移送ステーション１０の範囲において搬送物の問題のない移送を可能にする一方、他方では鉛直（上下方向）範囲において搬送循環体の引張側と弛緩側を相互に近接させることによって省スペースとなる。
【００２８】
　搬送循環体３を凹形に案内するための支持兼案内構造体８，９はフランジ付きローラを備えている。この支持兼案内構造体８，９と本発明による搬送装置全体を支えるための移動構造体は図示していない。搬送循環体３はその上下方向における下降運動の後で案内プーリ６を通過し、次に方向変換ステーションまたは引張ステーション７を通過する。この場合、搬送循環体３はそれぞれ凸形に案内され、方向変換される。
【００２９】
　図２は、本発明による搬送装置の上側範囲を概略的に示す。この場合、搬送循環体３、特に運搬具（ポケット）3.2の昇降運動時の位置が明らかである。更に、案内スキッド3.7を示す。この案内スキッドはポケット3.2のピッチ間隔をおいて搬送循環体３に固定され、支持兼案内構造体９のローラ上で搬送循環体を強制的に案内する。
【００３０】
　図３は、本発明による搬送装置の搬送循環体３を詳細に示す。運搬具（ポケット）3.2が中央に配置され、索具（高強度繊維からなるロープ）3.1が両側に配置されている。索具はピッチ間隔をおいてフレーム状の案内スキッド3.7に連結されている。搬送循環体３には更に、運搬具3.2の両側と索具3.1の外側に配置されたベルト3.3が含まれる。
【００３１】
運搬具3.2はその横梁が内側のベルト3.3に固定されている。フレーム状の案内スキッド3.7は内側と外側のベルト3.3に連結され、それによって同時に、索具3.1の安定した横方向連結部材を形成する。各々の固定個所においてベルト3.3の反対側において固定板3.8が設けられている。
【００３２】
図４は搬送循環体３の横断面を示す。中央に配置された運搬具3.2（横梁付きポケット）を示す。この運搬具は側方でベルト3.3にそれぞれ固定されている。このベルトの右側と左側に、索具、すなわち高強度繊維からなるロープ3.1が配置されている。このロープには間隔をおいてロープ締付け連結部材3.4が固定されている。このロープ締付け連結部材には更に、フレーム状の案内スキッド3.7が固定されている。この案内スキッド3.7は両側においてそれぞれベルト3.3に連結されている。ベルト3.3の反対側に設けられた固定板3.8もこの案内スキッドをベルトに連結する働きをする。従って、案内スキッド3.7によって搬送循環体３の安定した横方向連結が行われる。
【００３３】
　図５は、駆動ステーション４の範囲における搬送循環体３の部分断面図である。右側には運搬具（ポケット）3.2の一部を示す。この運搬具の横梁はベルト3.3に固定されている。ロープ3.1は駆動ステーション４の部分的に示した駆動プーリのロープ溝内に位置する。
【００３４】
　更に、フレーム状の案内スキッド3.7を示す。この案内スキッドはロープ締付け連結部材3.4の上方に延設され、このロープ締付け連結部材と側方の各々のベルトに固定されている。図５には更に、ローラを示す。このローラは搬送循環体３を凹形状に案内するための支持兼案内構造体８；９に属する。
【００３５】
　図６は搬送循環体３を側方から見た断面図である。ここでは、ロープ締付け連結部材3.4およびロープ無端連結部材3.5と協働する、索具3.1としての高強度性からなるロープの連結部についてのみ参照されたし。
【００３６】
　図７は搬送循環体３の側面図である。ベルト3.3を示す。このベルトには、運搬具(ポケット)3.2の横梁が固定されている。この固定個所の間において、フレーム状の案内スキッド3.7が固定板3.8によってベルト3.3に連結されている。更に、ベルト無端連結部材3.6が示してある。このベルト無端連結部材は慣用のごとく形成可能である。というのは、ベルト3.3が搬送循環体3内で索具として機能しないからである。ベルト3.3は搬送物を有するポケット3.2の自重によって生じる応力の一部を伝達する。ポケットはフレーム（枠）状の案内スキッド3.7との固定個所の間に配置されている。
【００３７】
　図８は、支持兼案内構造体８；９の範囲における搬送循環体の左側部分の側面図である。搬送循環体３の上昇運動時の搬送循環体３の凹形状の案内の様子を示す。フレーム状の案内スキッド3.7は支持兼案内構造体８；９のローラ上を走行する。右側には、下降運動時の搬送循環体３を部分的に示す。
【００３８】
　図９は、搬送循環体３の一部の平面図である。この搬送循環体は、運搬具（ポケット）3.2と、その右側と左側に配置されたロープ3.1を有する索具を備えている。
【００３９】
　更に、それぞれ側方に設けられたベルト3.3を示す。このベルトにはフレーム状の案内スキッド3.7が固定されている。この案内スキッド3.7は前側と後側の基板3.7.1からなっている。この場合、(搬送循環体3.1の運動方向に見て)前側の基板はロープ締付け連結部材3.4にも固定されている。ベルト3.3の上方には更にスキッド3.7.4を示す。
【００４０】
　図９には更に、図１０，１１，１２に次に基づいて説明する切断面を示す。
【００４１】
　後側の基板3.7.1はベルト3.3に連結されず、ベルト3.3とロープ3.1上に拘束されずに載っている。従って、搬送循環体３の凸形湾曲範囲においてローププーリ４，５，６，７を通過する際に、フレーム状の案内スキッド3.7はベルト3.3とロープ3.1から離間可能である。
【００４２】
図１０は図９のＩ−Ｉ線に沿った断面図である。ロープ3.1と側方のベルト3.3の横断面と、右側と左側の側板3.7.3とこの側板に固定されたスキッド3.7.4の横断面を示す。更に、固定板3.8によってベルト3.3に連結された前側の基板3.7.1を示す。この前側の基板3.7.1とロープ締付け連結部材3.4との固定部を示す。右側と左側の側板3.7.3の間には前側のウェブ板3.7.2が配置されている。このウェブ板によって、フレーム状案内スキッド3.7は必要な強度を付与される。ロープ締付け連結部材3.4の間にロープ用のスペーサ3.7.5が配置されている。
【００４３】
図１１は図９のII−II線に沿った断面図である。ロープ3.1およびベルト3.3の横断面と、右側または左側の側板3.7.3とこの側板に固定されたスキッド3.7.4の横断面を示す。
【００４４】
更に、後側の基板3.7.1を示す。この基板の下面にはロープ3.1用スペーサ3.7.5だけが固定されている。ここではロープ3.1やベルト3.3との固定連結は行われない。右側と左側の側板3.7.3の間には後側のウェブ板が配置されている。このウェブ板によって、フレーム状案内スキッド3.7は必要な強度を付与される。
【００４５】
図１２は図９のIII−III線に沿った断面図である。ベルト3.3を示す。このベルトには、運搬具(ポケット)3.2の横梁が摩擦連結的に固定されている。固定板3.8によってベルト3.3にボルト止めされた前側の基板3.7.1と、連結せずに運搬具(ポケット)3.2の横梁に載っている後側の基板3.7.1の切断面の背後には、上側に固定されたスキッド3.7.4を備えた側板3.7.3を示す。スキッド3.7.4は前側部分が傾斜している。それによって、搬送循環体3の案内のために支持兼案内構造体８；９のローラ上に衝撃を発生させずに載れる。
【００４６】
　図１３は上方への搬送物の搬送のための本発明による２個の搬送装置の配置構造を概略的に示す。このような配置構造は、本発明による１個の搬送装置では達成できない大きな搬送高さである一方、他方では技術的な理由から、大きな搬送高さの場合に複数の区間で搬送するときに必要である。中間レベルにおいて他の搬送流を垂直搬送部に供給すると好都合である。
【００４７】
　上下に配置された本発明による搬送装置の間において、接続コンベヤ１３と、それぞれ手前と後方に配置された搬送物用移送ステーション１２，１４とのインターフェース（交差個所）を必ず形成しなければならない。本発明による各搬送装置のその他の要素とサブアセンブリは変更せず、同様に図１３でも設けられている。
【００４８】
　図１４は下方への搬送物の搬送のための本発明による２個の搬送装置の配置構造を概略的に示している。このような用途は例えば、鉱山の中空空間にいわゆるぼた（廃石）詰め材料を充填することにより、坑内構造物の安全確保に必要である。垂直方向下方への搬送の他の用途は、鉱山の中空空間内に例えば汚染物の地下最終処分時に生じる。深さに応じて、１個または複数個の本発明による搬送装置によって、下方への搬送を実現することができる。図１４の配置構造の場合更に、接続コンベヤ１３と手前または後方に配置された移送ステーション１２，１４とを備えた、搬送装置の間のインターフェースが形成されている。この場合にも基本的には、中間レベルにおいて他の搬送流を垂直な下降搬送部に供給できる。本発明による搬送装置に属する要素とサブアセンブリは駆動ステーション４を除いて変更せず、図１４でも設けられている。駆動ステーション４の代わりに、ブレーキ作用または発電作用を有する駆動ステーション１５を設けなければならない。
【００４９】
　図１５は内側搬送の場合に従った、上方に搬送する本発明による２個の搬送装置の上下配置構造を概略的に示す。搬送物は、移送ステーション２における搬送物供給用搬送手段１から、内側搬送原理に従った充填ドラム１７を経て、搬送循環体３の運搬具（ポケット）3.2に案内される。
【００５０】
　搬送物は本発明による下側の搬送装置の駆動ステーション４を通過した後で、内側搬送原理に従って移送ステーション１６に達する。それによって、搬送物は続いて本発明による上側の搬送装置の充填ドラム１７を経てこの上側の搬送装置に達する。
【００５１】
　搬送物は本発明による上側の搬送装置の駆動ステーション４を通過した後で、移送ステーション１０を経て、搬出する搬送手段１１に達する。この搬送手段は本発明による上側の搬送装置の内部に配置されている。本発明による複数のこの搬送装置の問題のない上下の「連鎖」が、分離可能なロープ無端連結部材3.5によって実現可能である。
【００５２】
　図１６は９０°回転した図１５の断面図である。
【００５３】
　図１７は搬送循環体３を側方から見た断面図である。図６と異なり、ロープ締付け連結部材3.4およびロープ無端連結部材3.5と協働する索具3.1としての高強度繊維からなるロープの連結部には、搬送循環体３の内側の方に開口を有する運搬具(ポケット)3.2が配置されている。
【００５４】
　図１８は搬送循環体３の側面図である。ベルト3.3を示す。このベルトには、図７と異なり、運搬具(ポケット)3.2の横梁が固定されている。この場合、運搬具の開口は搬送循環体３の内側に配置されている。この固定個所の間において、フレーム状の案内スキッド3.7が固定板3.8によってこのベルト3.3に連結されている。
【００５５】
更に、ベルト無端連結部材3.6を示す。このベルト無端連結部材は慣用のごとく形成可能である。というのは、ベルト3.3が搬送循環体３内で索具として作用せず、運搬具（ポケット）3.2の横梁とフレーム状案内スキッド3.7のための固定要素としてのみ作用するからである。
【００５６】
図１９は搬送循環体３の横断面を示している。中央に配置された運搬具（横梁付きポケット）3.2を示す。この運搬具は側方においてベルト3.3に固定されている。図４と異なり、この運搬具（ポケット）3.2の開口は搬送循環体の内側に配置されている。
【００５７】
　索具、すなわち高強度繊維からなるロープは運搬具の右側と左側に配置されている。このロープには間隔をおいてロープ締付け連結部材3.4が固定されている。このロープ締付け連結部材には更に、フレーム状案内スキッド3.7が固定されている。この案内スキッド3.7は両側でベルト3.3に連結されている。ベルト3.3の反対側に設けられた固定板3.8もこの連結のために役立つ。
【００５８】
従って、フレーム状案内スキッド3.7によって、搬送循環体３の安定した横方向連結が行われる。この場合、高強度繊維からなるロープのためのスペーサ3.7.5は、ロープを平行に安定させて案内する働きをする。
【図面の簡単な説明】
【００５９】
【図１】外側搬送の場合の本発明の搬送装置の好ましい直線案内を概略的に示す図である。
【図２】本発明による搬送装置の上側範囲の概略図である。
【図３】本発明による搬送装置の搬送循環体の詳細図である。
【図４】搬送循環体の横断図である。
【図５】駆動ステーションの範囲における搬送循環体の部分断面図である。
【図６】搬送循環体の側面図である。
【図７】搬送循環体の側面図である。
【図８】支持兼案内構造体の範囲における搬送循環体の左側部分の側面図である。
【図９】搬送循環体の部分平面図である。
【図１０】図９のI−I線に沿った断面図である。
【図１１】図９のII−II線に沿った断面図である。
【図１２】図９のIII−III線に沿った断面図である。
【図１３】上方搬送の場合の本発明による２個の搬送装置の配置構造の概略図である。
【図１４】下方搬送の場合の本発明による２個の搬送装置の配置構造概略図である。
【図１５】内側搬送の場合における、上方搬送する本発明による２個の搬送装置の上下配置構造の概略図である。
【図１６】９０°回転した図１５の断面図である。
【図１７】搬送循環体の側面図である。
【図１８】搬送循環体の側面図である。
【図１９】搬送循環体の横断面図である。
【符号の説明】
【００６０】
　１　　　搬送物供給用搬送手段
　２　　　本発明による搬送装置の運搬具内への搬送物の移送ステーション
　３　　　索具、運搬具および案内スキッドを備えた本発明による搬送装置の搬送循環体
　　3.1     索具としての高強度性からなるロープ
3.2     運搬具としての横梁を備えたポケット
3.3     ポケットの横梁と案内スキッドのための固定要素としてのベルト
3.4     ロープ締付け連結部材
3.5     ロープ無端連結部材
3.6     ベルト無端連結部材
3.7     案内スキッド
3.7.1   前側または後側の基板
3.7.2   右側または左側のウェブ板
3.7.3   右側または左側の側板
3.7.4   スキッド
3.7.5   ロープ用スペーサ
3.8     案内スキッド用固定板
４　　　　駆動ステーション
５　　　　搬送循環体用の上側の案内プーリ
６　　　　搬送循環体用の下側の案内プーリ
７　　　　方向変換ステーションまたは引張ステーション
８　　　　ローラを備えた、搬送循環体を案内するための下側の支持兼案内構造体
９　　　　ローラを備えた、搬送循環体を案内するための上側の支持兼案内構造体
１０　　　搬送物排出用の搬送手段に搬送物を移送するための移送ステーション
１１　　　搬送物質排出用搬送手段
１２　　　本発明による搬送装置の間の接続コンベヤとしての搬送手段に搬送物を移送す
　　　　　るための移送ステーション
１３　　　本発明による搬送装置の間の接続コンベヤ
１４　　　接続コンベヤと本発明による搬送装置の間の搬送物用移送ステーション
１５　　　ブレーキ作用または発電作用を有する駆動ステーション
１６　　　本発明による下側の搬送装置から上側の搬送装置に搬送物を移送するための移
　　　　　送ステーション
１７　　　内側搬送原理に従った本発明による搬送装置の搬送物供給用充填ドラム
【図１】
2004099322.tif 000003
【図２】
2004099322.tif 000004
【図３】
2004099322.tif 000005
【図４】
2004099322.tif 000006
【図５】
2004099322.tif 000007
【図６】
2004099322.tif 000008
【図７】
2004099322.tif 000009
【図８】
2004099322.tif 000010
【図９】
2004099322.tif 000011
【図１０】
2004099322.tif 000012
【図１１】
2004099322.tif 000013
【図１２】
2004099322.tif 000014
【図１３】
2004099322.tif 000015
【図１４】
2004099322.tif 000016
【図１５】
2004099322.tif 000017
【図１６】
2004099322.tif 000018
【図１７】
2004099322.tif 000019
【図１８】
2004099322.tif 000020
【図１９】
2004099322.tif 000021